(57)【要約】【課題】バックアップ用電池がなくとも作動する瞬断判定機能を備える電源供給装置および電子機器を提供すること。【解決手段】システム電源ＩＣ１００に、電池２００の電圧を検出し、検出電圧と基準値とを比較する電源電圧検出回路１２０と、電池２００が接続される電源接続用端子１０５とコンデンサ３００が接続される電源供給用端子１１０との間の、電源電圧検出回路１２０の比較の結果に基づいて両電源端子間の接続非接続を切り替えるスイッチ１１５と、コンデンサ３００で動作し検出電圧が基準値未満である期間および該期間に設定される瞬断判定基準期間の終了タイミングに基づいて瞬断か否かを判定するＤフリップフロップ１３５、Ｄフリップフロップ１４０およびカウンタ回路１５０とを設けることにより、低電力で瞬断判定できる電源供給装置を実現できる。その結果、電子機器５０にバックアップ用電池を搭載せずとも瞬断の判定を行うことができる。【選択図】図１
2007288860.tif 000002
【特許請求の範囲】
【請求項１】
電源が接続される第１の電源端子と、
コンデンサが接続される第２の電源端子と、
前記電源の電圧を検出し、検出電圧と基準値とを比較する電源電圧検出回路と、
前記第１の電源端子と前記第２の電源端子との間に設けられ、前記比較の結果に基づいて両電源端子間の接続と非接続とを切り替えるスイッチ手段と、
前記コンデンサの電荷により動作し、前記検出電圧が前記基準値未満である期間および該期間に設定される瞬断判定基準期間の終了タイミングに基づいて瞬断か否かを判定する瞬断判定手段と、
を具備することを特徴とする電源供給装置。
【請求項２】
前記瞬断判定手段は、
前記検出電圧が前記基準値未満に低下したときの前記電源電圧検出回路の比較の結果をトリガとして所定データを取り込み、リセット信号が入力されるまで保持する第１のフリップフロップと、
前記検出電圧が前記基準値以上に増加したときの前記比較の結果をトリガとして前記第１のフリップフロップの出力を取り込んで保持する第２のフリップフロップと、
前記検出電圧が前記基準値未満に低下したときの前記比較の結果をトリガとして前記瞬断判定基準期間のカウントを開始し、前記瞬断判定基準期間のカウント終了時に前記第１のフリップフロップに前記リセット信号を出力するカウンタ回路と、
を具備することを特徴とする請求項１記載の電源供給装置。
【請求項３】
前記電源電圧検出回路の出力側に設けられ、前記検出電圧が前記基準値以上に増加したときの前記比較の結果を遅延する遅延回路をさらに具備することを特徴とする請求項２記載の電源供給装置。
【請求項４】
電源が接続される電源端子と、
前記電源からの電荷を蓄え、当該電荷を前記電源の電圧の低下時に供給するコンデンサと、
前記電源の電圧を検出し、検出電圧と基準値とを比較する電源電圧検出回路と、
前記電源端子と前記コンデンサとの間に設けられ、前記比較の結果に基づいて前記電源端子および前記コンデンサの間の接続と非接続とを切り替えるスイッチ手段と、
前記コンデンサの電荷により動作し、前記検出電圧が前記基準値未満である期間および該期間内に設定される瞬断判定基準期間の終了タイミングに基づいて瞬断か否かを判定する瞬断判定手段と、
を具備することを特徴とする電子機器。
【請求項５】
前記電源の電圧を受けて処理を実行するＣＰＵを備え、
前記ＣＰＵは、前記電源の電圧供給が再開されると前記瞬断判定手段の判定結果を任意のタイミングで取得することを特徴とする請求項４記載の電子機器。
【発明の詳細な説明】
【技術分野】
【０００１】
本発明は、電源供給装置および電子機器に関し、特に、瞬断判定機能を備える電源供給装置および電子機器に関する。
【背景技術】
【０００２】
電池を電源とする携帯電子機器では、電源電圧が基準値以上の時にレギュレータが安定した定電圧を中央処理装置（以下、ＣＰＵと略す）に供給し、リセットを解除することで、ＣＰＵが起動状態となる。電源電圧が基準値未満から基準値以上になった場合にＣＰＵは通常の起動処理を実行する。
【０００３】
起動時に衝撃等により電源が瞬間的に遮断（以下、「瞬断」と呼ぶ）され、ＣＰＵが停止・再起動した場合、新たに起動処理をすると瞬断前の状態が失われ、使用者が再設定する必要が生じる。しかし、瞬断であることの判断が可能であれば、記録媒体に記録した瞬断前の状態を継続することが可能であり、使用者の利便性を向上させることができる。
【０００４】
特許文献１には、電源電圧が低下・復帰した場合に、所定の条件を満たせば瞬断であると判断する携帯端末装置が記載されている。図４は、特許文献１に開示されている携帯端末装置の構成図である。図５はその動作波形図であり、（ａ）〜（ｇ）は、図４で同一符号を付した各部の動作波形図である。
【０００５】
図４において、２１はアンテナ、２２はＲＦ信号送受信回路、２３はベースバンド信号処理回路である。２４はＲＯＭでありＣＰＵ２９が実行する処理プログラムを記録する。２５はＲＡＭ、２６は入力キー、２７は表示器、２８は音声コーデックである。２９はＣＰＵであり電源制御回路３２が発生するリセット信号がＨｉｇｈ時に動作し、Ｌｏｗ時に停止する。また、ＣＰＵ２９は起動時に瞬断カウンタ３３のカウント値を読み取り、所定の基準カウンタ数と比較して瞬断かどうかを判断する。
【０００６】
３０はクロックコントロール回路であり水晶発振回路とＰＬＬ（Phase Locked Loop）回路からなり、音声コーデック２８やＣＰＵ２９に動作タイミングを規定するクロック信号を生成する。３１はＲＴＣ（Real Time Clock）回路であり、現在の時刻を計測し、瞬断カウンタ３３で使用する基準クロック（３２７６８Ｈｚ）を生成する。
【０００７】
３２は電源制御回路、３４は電圧監視回路、３５は電力供給回路である。電圧監視回路３４は電力供給回路３５が供給する電圧を監視し、電圧が基準値以上の場合には電圧監視信号をＨｉｇｈとし電源制御回路３２に送る。それを受けて電源制御回路３２はリセット信号をＨｉｇｈとし、ＣＰＵ２９を動作状態とする。一方、電圧監視回路３４は、電圧が基準値未満の場合には電圧監視信号をＬｏｗとし電源制御回路３２に送る。それを受けて電源制御回路３２はリセット信号をＬｏｗとし、ＣＰＵ２９をリセットし停止状態とする。
【０００８】
瞬断カウンタ３３は、メイン電源用電池３６が低下した期間中、ＲＴＣ回路３１が生成する基準クロック（３２７６８Ｈｚ）をカウントする。バックアップ用電池３７は、メイン電源用電池３６からの電力供給が停止した場合にはＲＴＣ回路３１、電源制御回路３２、瞬断カウンタ３３に電力を供給する。
【０００９】
以上のように構成された従来の、瞬断の判断が可能な携帯端末装置の動作を説明する。図５におけるタイミング（１）で、電圧監視回路３４は、電力供給回路３５が供給する電圧（ａ）が所定の基準値未満と判別すると、電圧監視回路３４が電源制御回路３２に出力する電圧監視信号（ｂ）をＬｏｗとする。その時、リセット信号（ｆ）がＬｏｗであればＣＰＵ２９は停止中であり何もしないが、リセット信号（ｆ）がＨｉｇｈでＣＰＵ２９が動作中の時は電源制御回路３２が瞬断カウンタ３３に出力する瞬断検出信号（ｃ）を所定の時間だけＨｉｇｈとする。
【００１０】
瞬断検出信号（ｃ）がＨｉｇｈとなると、瞬断カウンタ３３が電源制御回路３２に出力する瞬断検出フラッグ（ｄ）をＨｉｇｈとする。瞬断カウンタ３３はＲＴＣ回路３１が生成する基準クロック（３２７６８Ｈｚ）のカウントを開始し、ＣＰＵ２９にカウント数（ｇ）を出力する。また、電源制御回路３２は電圧供給回路３５に出力する電源オン信号（ｅ）をＬｏｗとし、電力の供給を停止させる。更に電源制御回路３２はＣＰＵ２９に出力するリセット信号（ｆ）をＬｏｗとし、動作を停止させる。
【００１１】
タイミング（２）で電圧監視回路３４は、電力供給回路３５が供給する電圧（ａ）が所定の基準値以上と判別すると、電圧監視回路３４が電源制御回路３２に出力する電圧監視信号（ｂ）をＨｉｇｈとする。また、電源制御回路３２は電圧供給回路３５に出力する電源オン信号（ｅ）をＨｉｇｈとし、電力の供給を開始する。タイミング（２）から遅延時間（Ｔ１）後のタイミング（３）では電力供給が十分安定するので、電源制御回路３２はＣＰＵ２９に出力するリセット信号（ｆ）をＨｉｇｈとし、ＣＰＵ２９を起動させる。
【００１２】
ＣＰＵ２９は瞬断カウンタ３３がＣＰＵ２９に出力するカウント数（ｇ）から電源電圧が基準値以下である時間を特定し、特定した時間が基準時間より短ければ瞬断と判別する。
【００１３】
タイミング（４）で、瞬断カウンタ３３が所定数をカウントした場合、又は、ＣＰＵ２９からの指示がある場合には、瞬断カウンタ３３が電源制御回路３２に出力する瞬断検出フラッグ（ｄ）がＬｏｗとなり、瞬断カウンタ３３はカウントを終了する。以上のように上記従来の携帯端末装置では、電源電圧が基準値以下になる度に瞬断カウンタのカウント数から電源電圧が基準値以下である時間が特定され、特定された時間と基準時間とをＣＰＵが比較することにより、瞬断の判断が可能となっている。
【特許文献１】特開２００１−２５１７８３号公報
【発明の開示】
【発明が解決しようとする課題】
【００１４】
ところで、バックアップ用電池のスペースを確保することは、携帯電子機器の小型軽量化の妨げとなるため、バックアップ用電池を搭載しない流れになっている。また、携帯電子機器にバックアップ用電池が搭載される主目的は時計機能であるが、昨今、時刻情報は基地局から常時得られるため、バックアップ用電池を搭載してＲＴＣ回路を常時作動させておく必要性が乏しい。しかしながら、上記従来の携帯端末装置では、バックアップ用電池を搭載しないと瞬断検出に関わる構成要素（ＲＴＣ回路３１、電源制御回路３２、瞬断カウンタ３３）が作動せず、瞬断検出を行うことができない。
【００１５】
本発明は、かかる点に鑑みてなされたものであり、バックアップ用電池がなくとも作動する瞬断判定機能を備える電源供給装置および電子機器を提供することを目的とする。
【課題を解決するための手段】
【００１６】
本発明の電源供給装置は、電源が接続される第１の電源端子と、コンデンサが接続される第２の電源端子と、前記電源の電圧を検出し、検出電圧と基準値とを比較する電源電圧検出回路と、前記第１の電源端子と前記第２の電源端子との間に設けられ、前記比較の結果に基づいて両電源端子間の接続と非接続とを切り替えるスイッチ手段と、前記コンデンサの電荷により動作し、前記検出電圧が前記基準値未満である期間および該期間に設定される瞬断判定基準期間の終了タイミングに基づいて瞬断か否かを判定する瞬断判定手段と、を具備する構成を採る。
【００１７】
本発明の電子機器は、電源が接続される電源端子と、前記電源からの電荷を蓄え、当該電荷を前記電源の電圧の低下時に供給するコンデンサと、前記電源の電圧を検出し、検出電圧と基準値とを比較する電源電圧検出回路と、前記電源端子と前記コンデンサとの間に設けられ、前記比較の結果に基づいて前記電源端子および前記コンデンサの間の接続と非接続とを切り替えるスイッチ手段と、前記コンデンサの電荷により動作し、前記検出電圧が前記基準値未満である期間および該期間に設定される瞬断判定基準期間の終了タイミングに基づいて瞬断か否かを判定する瞬断判定手段と、を具備する構成を採る。
【発明の効果】
【００１８】
本発明によれば、バックアップ用電池がなくとも作動する瞬断判定機能を備える電源供給装置および電子機器を提供することができる。
【発明を実施するための最良の形態】
【００１９】
以下、本発明の一実施の形態について図面を参照して詳細に説明する。
【００２０】
図１に示すように本実施の形態に係る電子機器５０は、システム電源ＩＣ１００と、通常使用時にシステム電源ＩＣ１００に電源を供給する電池２００と、電池２００から供給される電荷を蓄えるコンデンサ３００と、ＣＰＵ４００とを備える。同図には、本発明と関係する、電子機器５０の構成要素のみを図示している。
【００２１】
システム電源ＩＣ１００は、電源接続用端子１０５と、電源接続用端子１１０と、スイッチ１１５と、電源電圧検出回路１２０と、遅延回路１２５と、インバータ１３０と、Ｄフリップフロップ１３５と、Ｄフリップフロップ１４０と、Ｄフリップフロップ１４５と、カウンタ回路１５０と、制御ロジック回路１５５と、ＣＰＵ用レギュレータ１６０と、インターフェイス回路１６５と、発振回路１７０と、ＣＰＵ電源供給用端子１７５と、制御信号用端子１８０と、制御信号用端子１８５とを備える。
【００２２】
電源接続用端子１０５は、電池２００と接続される第１の端子であり、（ａ）が付された構成要素およびスイッチ１１５と接続され、通常使用時に電池２００から供給される電源電圧をシステム電源ＩＣ１００の各構成要素に供給する。電源接続用端子１１０は、電池２００の電源電圧が低下したときに利用される電荷を蓄える外付けのコンデンサ３００と接続される第２の端子であり、（ｂ）が付された構成要素およびスイッチ１１５と接続され、電池２００の電源電圧低下時にコンデンサ３００に蓄えられた電荷を（ｂ）が付された構成要素に供給する。
【００２３】
スイッチ１１５は、例えば、トランスファゲートから構成され、電源電圧検出回路１２０で検出される検出電圧に基づいてＯＮ／ＯＦＦし、電源接続用端子１０５と電源接続用端子１１０との経路を接続または遮断する。スイッチ１１５は、ＯＮで電源接続用端子１０５と電源接続用端子１１０との間を導通させ、ＯＦＦで電源接続用端子１０５と電源接続用端子１１０との間の電荷の移動を遮断する。スイッチ１１５は、電源電圧検出回路１２０の出力を遅延回路１２５で所定の遅延時間遅延した出力を制御信号として制御端子に受けてＯＮ／ＯＦＦする。
【００２４】
スイッチ１１５がＯＮすると、図１における（ａ）および（ｂ）が付された箇所の電位は等しくなり、外付けのコンデンサ３００に電荷が蓄えられる。スイッチ１１５がＯＦＦすると、外付けのコンデンサ３００に蓄えられた電荷は、電源接続用端子１１０を介して、（ｂ）が付された箇所にのみ供給される。すなわち、スイッチ１１５が電源電圧検出回路１２０の検出電圧に応じてＯＮ／ＯＦＦすることにより、電池２００の電力およびコンデンサ３００に蓄えられた電荷の供給先が制御される。
【００２５】
電源電圧検出回路１２０は、図示しない検出抵抗に発生する電源電圧を検出する電圧検出回路と、この検出電圧を所定の基準値と比較する比較器とから構成され、電池２００の両端の電圧（つまり、電源電圧）を検出し、検出電圧と基準値との比較結果を出力する。電源電圧検出回路１２０は、検出電圧が基準値以上から基準値未満になるとＨｉｇｈからＬｏｗへの反転信号を出力し、逆に検出電圧が基準値未満から基準値以上になるとＬｏｗからＨｉｇｈへの反転信号を出力する。なお、基準値は、電源電圧の変化する方向（増加、減少）に応じて２つの基準値を設けてもよい。具体的には、電源電圧検出回路１２０は、電源電圧が増加する方向の第１の基準値（後述の図２，３ではＴｈ２）と、電源電圧が減少する方向の第２の基準値（第１の基準値より小さい、後述の図２，３では、Ｔｈ１）とを保持する。そして、検出電圧が第２の基準値未満から増加して第２の基準値を超えても反転信号を出力せず第１の基準値を超えて初めてＬｏｗからＨｉｇｈへの反転信号を出力する。一方、電源電圧検出回路１２０は、検出電圧が第１の基準値以上から減少する場合には、第２の基準値未満まで検出電圧が低下して初めてＨｉｇｈからＬｏｗへの反転信号を出力する。この構成によって、ＨｉｇｈとＬｏｗのレベル判定を確実にすることができ、ノイズが混入しても誤検出を防止することができる。
【００２６】
遅延回路１２５は、電源電圧検出回路１２０の検出電圧が基準値以上に増加したときの比較結果のみを所定遅延時間（Ｔ３）遅延し、電源電圧検出回路１２０の検出電圧が基準値未満に減少したときの比較結果を遅延しない。遅延回路１２５は、ＬｏｗからＨｉｇｈへの反転信号のみを遅延時間（Ｔ３）遅延し、ＨｉｇｈからＬｏｗへの反転信号を遅延しない。遅延回路１２５は、電源電圧検出回路１２０の検出電圧が基準値以上に増加したときの比較結果を入力してから遅延時間（Ｔ３）以内に、検出電圧が基準値未満に減少したときの比較結果を入力すると、検出電圧が基準値未満に減少したときの比較結果のみを出力し、電源電圧検出回路１２０の検出電圧が基準値以上に増加したときの比較結果を出力しない。遅延時間（Ｔ３）は、電池２００を装着する時などのチャタリングによる電源電圧の低下を瞬断と誤判定することを防止するために設けられている。遅延時間（Ｔ３）は発振回路１７０から発生されるクロックに基づいてカウントされる。
【００２７】
カウンタ回路１５０は、電源電圧検出回路１２０の検出電圧が基準値未満となる時点で瞬断判定基準期間（Ｔ０）のカウントを開始し、瞬断判定基準期間（Ｔ０）経過後に単パルス信号を出力する。瞬断判定基準期間（Ｔ０）は、電源電圧の低下が瞬断か瞬断でないかを判定するための期間である。カウンタ回路１５０は、電源電圧検出回路１２０の検出電圧が基準値未満に減少したときの比較結果を遅延回路１２５を介して入力するとカウントを開始し、カウント開始から瞬断判定基準期間（Ｔ０）経過後に、Ｄフリップフロップ１３５のリセット信号として単パルス信号を出力する。カウンタ回路１５０は、例えば、複数段のカウンタから構成されており、インターフェイス回路１６５からの信号（ｏ）により瞬断判定基準期間（Ｔ０）を変更できるように構成されている。カウンタ回路１５０は、発振回路１７０から発生されるクロックに基づいてカウントする。
【００２８】
インバータ１３０は、遅延回路１２５の出力（ｄ）を反転し、Ｄフリップフロップ１３５のトリガ端子に出力（ｅ）を出力する。なお、遅延回路１２５の出力（ｄ）はまた、インバータ１３０を介さずにそのままＤフリップフロップ１４０のトリガ端子に入力される。
【００２９】
Ｄフリップフロップ１３５は、トリガ信号によりデータ入力の信号をラッチし、カウンタ回路１５０からのリセット信号が入力されるまで保持する。具体的には、Ｄフリップフロップ１３５は、遅延回路１２５を介しインバータ１３０で反転された、電源電圧検出回路１２０の検出電圧が基準値未満に減少したときの比較結果をトリガ信号としてデータ入力端子データ（ここでは、コンデンサ３００の電圧、すなわちＨｉｇｈレベル）をラッチする。Ｄフリップフロップ１３５は、瞬断判定基準期間（Ｔ０）経過時にカウンタ回路１３５からのリセット信号を入力するので、瞬断判定基準期間（Ｔ０）経過の前後で保持するデータが異なる。
【００３０】
Ｄフリップフロップ１４０は、トリガ信号によりＤフリップフロップ１３５の出力をラッチし、リセット信号が入力されるまで保持する。Ｄフリップフロップ１４０は、遅延回路１２５で遅延されインバータ１３０を介さずにトリガ端子に入力される、電源電圧検出回路１２０の検出電圧が基準値以上に増加したときの比較結果をトリガ信号としてＤフリップフロップ１３５の出力をラッチする。また、Ｄフリップフロップ１４０は、インターフェイス回路１６５からの出力（ｎ）をリセット信号としてリセット端子に受け、保持データをリセットする。
【００３１】
ここで、Ｄフリップフロップ１３５の保持するデータが瞬断判定基準期間（Ｔ０）の終了タイミングの前後で異なるので、Ｄフリップフロップ１４０の保持するデータも、Ｄフリップフロップ１４０のトリガ信号を入力するタイミングが瞬断判定基準期間（Ｔ０）の終了タイミングの前か後かで異なる。つまり、瞬断判定基準期間（Ｔ０）の終了タイミングと、Ｄフリップフロップ１４０のトリガ端子に電源電圧検出回路１２０の検出電圧が基準値以上に増加したときの比較結果を入力するタイミングとの到来する順序により、電池２００の電源電圧の低下が瞬断か否かを判定することができる。
【００３２】
Ｄフリップフロップ１４５は、Ｄフリップフロップ１４０の出力（すなわち、瞬断判定結果）をインターフェイス回路１６５に入力するタイミングを調整する。Ｄフリップフロップ１４５は、制御ロジック回路１５５の出力をトリガ信号として、Ｄフリップフロップ１４０の出力をラッチし、インターフェイス回路１６５からのリセット信号が入力されるまで保持する。
【００３３】
制御ロジック回路１５５は、ＣＰＵ用レギュレータ１６０およびＣＰＵ４００の起動タイミングを調整する。制御ロジック回路１５５は、電源電圧検出回路１２０の検出電圧が基準値以上に増加したときの比較結果を遅延回路１２５を介して入力すると、そのタイミングからＴ４後にＣＰＵ用レギュレータ１６０およびＤフリップフロップ１４５へＬｏｗからＨｉｇｈへの反転信号を出力する。このＬｏｗからＨｉｇｈへの反転信号の出力からさらにＴ５後に、制御ロジック回路１５５は、制御信号用端子１８５へのＬｏｗからＨｉｇｈへの反転信号（出力（ｌ））を出力する。一方、検出電圧が基準値未満に減少したときの比較結果を遅延回路１２５を介して入力すると、制御ロジック回路１５５は、ＣＰＵ用レギュレータ１６０、ＣＰＵ４００および制御信号用端子１８５へＨｉｇｈからＬｏｗへの反転信号を即座に出力する。ここで、遅延時間Ｔ４は、電源電圧が回復してからＣＰＵ用レギュレータ１６０が作動するまでにかかる時間を考慮して設けられている。遅延時間Ｔ５は、ＣＰＵ用レギュレータ１６０がＣＰＵ電源供給用端子１７５への電力を出力し始めてから定電圧に安定するまでにかかる時間を考慮して設けられている。遅延時間Ｔ４および遅延時間Ｔ５は、発振回路１７０から発生されるクロックに基づいてカウントされる。
【００３４】
インターフェイス回路１６５は、Ｄフリップフロップ１４５の保持データ、すなわち瞬断か否かの判定結果を記憶（保持）する。インターフェイス回路１６５は、電源電圧の低下が瞬断であることをＣＰＵ４００に知らせるために、Ｄフリップフロップ１４５が保持する判定結果が瞬断であるときにのみ、ＣＰＵ４００への割り込み信号（ｍ）を発生する。また、インターフェイス回路１６５は、割り込み信号（ｍ）に対するＣＰＵ４００からの応答に応じて単パルス信号のリセット信号として出力（ｎ）を出力する。また、インターフェイス回路１６５は、ＣＰＵ４００からの命令によりカウンタ回路１５０がカウントする瞬断判定基準期間（Ｔ０）を設定する設定信号（ｏ）を出力する。
【００３５】
ＣＰＵ用レギュレータ１６０は、電池２００の電源電圧（ａ）を基にＣＰＵ４００に供給する電源電圧を生成する。ＣＰＵ用レギュレータ１６０は、制御ロジック回路１５５の出力がＨｉｇｈのときに、ＣＰＵ電源供給用端子１７５に生成した電源電圧を供給する。
【００３６】
発振回路１７０は、クロック信号を発生し、遅延回路１２５、カウンタ回路１５０および制御ロジック回路１５５に出力する。発振回路１７０としては、電源供給装置に汎用部品として通常組み込まれている発振回路を利用することができる。
【００３７】
以上のように構成されるシステム電源ＩＣ１００の動作を図１乃至図３を参照しながら説明する。
【００３８】
図２は、図１中で（ａ）〜（ｎ）が付された各部における電圧状態を示す動作波形図である。図２には、タイミング（１）〜（７）に電源電圧の低下が瞬断であると判定される場合の動作波形が示され、タイミング（８）〜（１３）に電源電圧の低下が瞬断以外であると判定される場合の動作波形が示されている。ここでは、電源電圧検出回路１２０が検出電圧と比較する基準値として、電源電圧の変化する方向（増加、減少）に応じた２つの基準値が設けられている場合について説明する。減少方向の基準値をＴｈ１とし、増加方向の基準値をＴｈ２とする。
【００３９】
まず図２を参照して電源電圧の低下が瞬断であると判定される場合について説明する。電源電圧の検出電圧（ａ）が基準値（Ｔｈ１）以上で安定している状態ではスイッチ１１５がＯＮし、電池２００からの電源電圧が（ａ）、（ｂ）の付された各構成要素および外付けのコンデンサ３００に与えられている。この状態から、タイミング（１）で検出電圧（ａ）が基準値（Ｔｈ１）未満に低下すると、電源電圧検出回路１２０の出力（ｃ）がＨｉｇｈからＬｏｗになり、遅延回路１２５の出力（ｄ）は即座にＨｉｇｈからＬｏｗになる。なお、この動きとは対照的に、上述のとおり、遅延回路１２５の出力（ｄ）は、電源電圧検出回路１２０の出力（ｃ）がＬｏｗからＨｉｇｈに切り替わるときには、遅延時間（Ｔ３）を経てからＬｏｗからＨｉｇｈになる。
【００４０】
遅延回路１２５の出力（ｄ）のＨｉｇｈからＬｏｗへの変化により、スイッチ１１５はＯＮからＯＦＦになる。スイッチ１１５がＯＦＦすると、外付けのコンデンサ３００に蓄えられている電荷は、（ｂ）が付された、瞬断検出に関わる構成要素に供給される。こうして、電池２００の電源電圧が低下したときにも、瞬断の検出が可能となる。さらに、電池２００の電源電圧が低下したときにはスイッチ１１５がＯＦＦしコンデンサ３００に蓄えられた電荷が電源接続用端子１０５側へ流出することを防止できる。そのため、電源電圧が低下して回復するまでの間には、一部の瞬断検出に関わる構成要素のみに電力の供給がなされるので、低電力で瞬断の検出を行うことができる。その結果として、電源電圧が低下して回復するまでの間の電力供給源としてはコンデンサで十分となり、ボタン電池などのバックアップ用電源を用意する必要がなくなる。
【００４１】
タイミング（１）で遅延回路１２５の出力（ｄ）がＨｉｇｈからＬｏｗに変化すると、Ｄフリップフロップ１３５では、この変化をトリガとして入力データがラッチされ、カウンタ回路１５０からのリセット信号が入力されるまで出力（ｇ）がＨｉｇｈで保持される。カウンタ回路１５０では、遅延回路１２５の出力（ｄ）がＨｉｇｈからＬｏｗに変化すると、この変化をトリガとして、瞬断判定基準期間（Ｔ０）のカウントが開始される。制御ロジック回路１５５では、遅延回路１２５の出力（ｄ）がＨｉｇｈからＬｏｗに変化すると、出力（ｉ）と（ｌ）とがＨｉｇｈからＬｏｗになり、ＣＰＵ４００がリセットされ、ＣＰＵ用レギュレータ１６０が停止する。
【００４２】
タイミング（２）で検出電圧（ａ）が基準値（Ｔｈ２）以上になると、電源電圧検出回路１２０の出力（ｃ）がＬｏｗからＨｉｇｈになり、遅延回路１２５の入力がＬｏｗからＨｉｇｈになる。遅延回路１２５では、ＬｏｗからＨｉｇｈへの反転信号が遅延時間（Ｔ３）だけ遅延されるので、入力がＬｏｗからＨｉｇｈに切り替わってから遅延時間（Ｔ３）後に、出力（ｄ）がＬｏｗからＨｉｇｈになる。遅延時間（Ｔ３）は、電池２００の装着時のチャタリングによる電源電圧の低下を瞬断と誤判定することを防止するために設定されるものである。チャタリングが発生した場合については、後に詳述する。
【００４３】
タイミング（３）で遅延回路１２５の出力（ｄ）がＬｏｗからＨｉｇｈに変化すると、この変化はＤフリップフロップ１４０のトリガ信号となる。Ｄフリップフロップ１４０にトリガ信号が入力されるタイミングが、瞬断判定基準期間の終了タイミング（同図では、タイミング（５））よりも早く到来するので、Ｄフリップフロップ１３５にはリセット信号が未だ入力されておらず出力（ｇ）はＨｉｇｈのままである。そのため、Ｄフリップフロップ１４０では、出力（ｈ）がＬｏｗからＨｉｇｈになる。Ｄフリップフロップ１４０の出力（ｈ）がＨｉｇｈであることは、瞬断と判定されたことを意味している。
【００４４】
タイミング（３）で遅延回路１２５の出力（ｄ）がＬｏｗからＨｉｇｈに変化すると、遅延時間（Ｔ４）後のタイミング（４）で制御ロジック回路１５５の出力（ｉ）がＬｏｗからＨｉｇｈに変化する。ここで遅延時間（Ｔ４）は、電源電圧が回復しＣＰＵ用レギュレータ１６０が作動状態になるまでにかかる時間を考慮して設けられている。本実施の形態では、電池２００の装着時のチャタリングによる電源電圧の低下を瞬断と誤判定することを防止するために遅延時間（Ｔ３）が設けられているので、Ｔ３とＴ４との和が、電源電圧が回復しＣＰＵ用レギュレータ１６０が作動状態になるまでにかかる時間よりも長ければよい。
【００４５】
タイミング（４）で制御ロジック回路１５５の出力（ｉ）がＬｏｗからＨｉｇｈになると、ＣＰＵ用レギュレータ１６０は電圧（ｋ）をＣＰＵ４００に電力供給用端子１７５を介して供給する。
【００４６】
タイミング（４）で制御ロジック回路１５５の出力（ｉ）がＬｏｗからＨｉｇｈになると、この変化はＤフリップフロップ１４５のトリガ信号となる。Ｄフリップフロップ１４０の出力（ｈ）がＨｉｇｈなので、Ｄフリップフロップ１４５では、出力（ｊ）がＬｏｗからＨｉｇｈになる。
【００４７】
タイミング（４）で入力（Ｄフリップフロップ１４５の出力（ｊ））がＬｏｗからＨｉｇｈに変化すると、インターフェイス回路１６５は、Ｄフリップフロップ１４５の出力（ｊ）、すなわち瞬断判定結果を記憶（保持）する。瞬断の判定で瞬断であると判定され、Ｈｉｇｈである出力（ｊ）が記憶（保持）される場合には、インターフェイス回路１６５は、ＣＰＵ４００への割り込み信号（ｍ）を発生する。
【００４８】
こうして、従来では瞬断の判定はＣＰＵが行っていたが、ＣＰＵを介在させることなく、電源供給装置で瞬断の判定を行うことができ、ＣＰＵの処理負担を軽減することができる。
【００４９】
タイミング（４）で制御ロジック回路１５５の出力（ｉ）がＬｏｗからＨｉｇｈになってから遅延時間（Ｔ５）経過後のタイミング（６）で、制御ロジック回路１５５は、出力（ｌ）をＬｏｗからＨｉｇｈにする。この出力（ｌ）は、ＣＰＵ４００のリセット信号になっており、特に出力（ｌ）がＨｉｇｈのときにはリセット解除信号となる。
【００５０】
ここで遅延時間Ｔ５は、ＣＰＵ用レギュレータ１６０が電圧（ｋ）を出力し始めてから定電圧に安定するまでにかかる時間を考慮して設けられている。よって、制御ロジック回路１５５がタイミング（６）でリセット解除信号をＣＰＵ４００に出力したときには、ＣＰＵ用レギュレータ１６０からＣＰＵ４００へ安定した電圧が供給されているので、ＣＰＵ４００はリセット解除信号を受け取ると直ぐに安定した動作を行うことができる。
【００５１】
タイミング（６）でリセット解除信号を受け取ると、ＣＰＵ４００はリセットが解除され、インターフェイス回路１６５からの割り込み信号（ｍ）により電源電圧の低下が瞬断であると認識する。その後、タイミング（７）でＣＰＵ４００の命令によりインターフェイス回路１６５はＤフリップフロップ１４０およびＤフリップフロップ１４５のリセット信号として出力（ｎ）を出力する。
【００５２】
次にタイミング（８）〜（１３）に示される、電源電圧の低下が瞬断以外であると判定される場合ついて説明する。
【００５３】
上述したタイミング（１）から（７）までの処理により電源電圧の低下が瞬断と判定されたが、タイミング（８）で検出電圧（ａ）が基準値（Ｔｈ１）未満に低下すると、電源電圧検出回路１２０の出力（ｃ）がＨｉｇｈからＬｏｗになり、遅延回路１２５の出力（ｄ）は即座にＨｉｇｈからＬｏｗになる。この遅延回路１２５の出力（ｄ）のＨｉｇｈからＬｏｗへの変化により、スイッチ１１５はＯＮからＯＦＦになる。また、タイミング（８）で遅延回路１２５の出力（ｄ）がＨｉｇｈからＬｏｗに変化すると、Ｄフリップフロップ１３５では、この変化をトリガとして入力データがラッチされ、カウンタ回路１５０からのリセット信号が入力されるまで出力（ｇ）がＨｉｇｈで保持される。カウンタ回路１５０では、遅延回路１２５の出力（ｄ）がＨｉｇｈからＬｏｗに変化すると、この変化をトリガとして、瞬断判定基準期間（Ｔ０）のカウントが開始される。
【００５４】
タイミング（９）でカウントの開始から瞬断判定基準期間（Ｔ０）が経過すると、カウンタ回路１５０は、リセット信号をＤフリップフロップ１３５に出力する。このリセット信号により、Ｄフリップフロップ１３５では、保持データがリセットされ、出力（ｇ）がＨｉｇｈからＬｏｗになる。
【００５５】
タイミング（１０）で検出電圧（ａ）が基準値（Ｔｈ２）以上になると、電源電圧検出回路１２０の出力（ｃ）がＬｏｗからＨｉｇｈになり、遅延回路１２５の入力がＬｏｗからＨｉｇｈになる。遅延回路１２５では、ＬｏｗからＨｉｇｈへの反転信号が遅延時間（Ｔ３）だけ遅延されるので、入力がＬｏｗからＨｉｇｈに切り替わってから遅延時間（Ｔ３）後に、出力（ｄ）がＬｏｗからＨｉｇｈになる。
【００５６】
タイミング（１１）で遅延回路１２５の出力（ｄ）がＬｏｗからＨｉｇｈに変化すると、この変化はＤフリップフロップ１４０のトリガ信号となる。Ｄフリップフロップ１４０では、Ｄフリップフロップ１３５の出力（ｇ）がタイミング（９）の時点でＨｉｇｈからＬｏｗに切り替わっているため、出力（ｈ）はＬｏｗになる。Ｄフリップフロップ１４０の出力（ｈ）がＬｏｗであることは、瞬断でないと判定されたことを意味している。
【００５７】
ここで、Ｄフリップフロップ１４０では、トリガが与えられた時点でＤフリップフロップ１３５の出力（ｇ）がＨｉｇｈであれば、出力（ｈ）がＬｏｗからＨｉｇｈに変化する。しかしながら、ここでは瞬断判定基準期間の終了タイミング（同図では、タイミング（９））が、Ｄフリップフロップ１４０にトリガ信号が入力されるタイミング（同図では、タイミング（１０））よりも早く到来しているため、Ｄフリップフロップ１３５にタイミング（９）の時点でリセット信号が入力されているので、Ｄフリップフロップ１４０の出力（ｈ）はＬｏｗのままである。つまり、電源電圧が回復するタイミング（本実施の形態では、電池２００装着時のチャタリングによる電源電圧の低下を瞬断と誤判定することを防止するため遅延時間（Ｔ３）が設けられているので、電源電圧の回復からＴ３後のタイミング）が、瞬断判定基準期間（Ｔ０）の終了するタイミングよりも早いため、電源電圧の低下が瞬断でないと判定される。
【００５８】
タイミング（１１）で遅延回路１２５の出力（ｄ）がＬｏｗからＨｉｇｈに変化すると、遅延時間（Ｔ４）後のタイミング（１２）で制御ロジック回路１５５の出力（ｉ）がＬｏｗからＨｉｇｈに変化する。そしてタイミング（１２）で制御ロジック回路１５５の出力（ｉ）がＬｏｗからＨｉｇｈになると、ＣＰＵ用レギュレータ１６０は電圧（ｋ）をＣＰＵ４００に電力供給用端子１７５を介して供給する。
【００５９】
タイミング（１２）で制御ロジック回路１５５の出力（ｉ）がＬｏｗからＨｉｇｈに変化すると、この変化はＤフリップフロップ１４５のトリガ信号となる。しかし、ここでは既にＤフリップフロップ１４０の出力（ｈ）がＬｏｗになっているため、出力（ｊ）はＬｏｗである。そのため、インターフェイス回路１６５には、瞬断判定結果として出力（ｊ）のＬｏｗが記憶（保持）される。瞬断の判定で瞬断でないと判定され、Ｌｏｗである出力（ｊ）が記憶（保持）される場合には、インターフェイス回路１６５は、ＣＰＵ４００への割り込み信号（ｍ）を発生することはない。
【００６０】
タイミング（１２）で制御ロジック回路１５５の出力（ｉ）がＬｏｗからＨｉｇｈになってから遅延時間（Ｔ５）経過後のタイミング（１３）で、制御ロジック回路１５５は、出力（ｌ）をＬｏｗからＨｉｇｈにする。出力（ｌ）のＬｏｗからＨｉｇｈへの変化により、ＣＰＵ４００のリセットが解除される。
【００６１】
次にチャタリングが発生した場合について説明する。
【００６２】
図３は、図１中で（ａ）〜（ｎ）が付された各部における電圧状態を示す動作波形図である。同図には、電池装着時にチャタリングが発生した場合の動作波形が示されている。同図にも、図２と同じく、電源電圧検出回路１２０が検出電圧と比較する基準値として、電源電圧の変化する方向（増加、減少）に応じた２つの基準値（Ｔｈ１，Ｔｈ２）が設けられている場合が示されている。
【００６３】
同図の（ａ）に示すように、タイミング（１４）からタイミング（１８）の間に、電池装着時のチャタリングが発生している。
【００６４】
タイミング（１４）で電源電圧検出回路１２０の出力（ｃ）がＬｏｗからＨｉｇｈとなり、遅延回路１２５の入力がＨｉｇｈになる。遅延回路１２５では、入力がＬｏｗからＨｉｇｈになると、遅延時間（Ｔ３）を経てから出力（ｄ）がＬｏｗからＨｉｇｈになる。しかし、ここではタイミング（１４）からＴ６（＜Ｔ３）後のタイミング（１５）で、再び出力（ｃ）がＨｉｇｈからＬｏｗになるため、遅延回路１２５の出力（ｄ）はＬｏｗのままである。また、タイミング（１６）でも電源電圧検出回路１２０の出力（ｃ）がＬｏｗからＨｉｇｈになっているが、タイミング（１６）からＴ７（＜Ｔ３）後のタイミング（１７）で、再び出力（ｃ）がＬｏｗとなるため、遅延回路１２５の出力（ｄ）はＬｏｗのままである。つまり、電池装着時の電源電圧のチャタリングによっては、電源電圧検出回路１２０は応答するが遅延回路１２５は応答しないので、遅延回路１２５の出力（ｄ）はＨｉｇｈとならずＬｏｗが維持される。そのため、カウンタ回路１５０はカウントを開始せず、またＤフリップフロップ１３５の出力（ｇ）はＬｏｗのままである。
【００６５】
タイミング（１８）で検出電圧（ａ）が基準値（Ｔｈ２）以上になると、電源電圧検出回路１２０の出力（ｃ）がＬｏｗからＨｉｇｈとなる。ここでは、タイミング（１８）から遅延時間（Ｔ３）後のタイミング（１９）まで遅延回路１２５の入力がＨｉｇｈからＬｏｗに切り替わることがないので、タイミング（１９）で遅延回路１２５の出力（ｄ）がＬｏｗからＨｉｇｈになる。
【００６６】
タイミング（１９）で遅延回路１２５の出力（ｄ）がＬｏｗからＨｉｇｈに変化すると、この変化はＤフリップフロップ１４０のトリガ信号となる。Ｄフリップフロップ１４０では、トリガ信号が入力されるタイミングでＤフリップフロップ１３５の出力（ｇ）がＨｉｇｈであれば、出力（ｈ）がＬｏｗからＨｉｇｈに変化する。しかし、上述のとおり、Ｄフリップフロップ１３５の出力（ｇ）はチャタリングではＨｉｇｈとならずＬｏｗに保持されるため、Ｄフリップフロップ１４０の出力（ｈ）もＬｏｗに保持される。よって、電池２００の装着時のチャタリングが発生しても瞬断と誤判定されることを防止することができる。瞬断の判定で瞬断でないと判定され、Ｌｏｗである出力（ｊ）が記憶（保持）されるので、インターフェイス回路１６５は、ＣＰＵ４００に割り込み信号（ｍ）を発生しない。
【００６７】
こうして、入力がＨｉｇｈになるタイミングから遅延時間（Ｔ３）の間に入力がＬｏｗとならない場合に遅延時間（Ｔ３）経過時に出力をＨｉｇｈとする遅延回路１２５を設け、Ｔ３を適当に設定することにより、電源装着時のチャタリングによる電源電圧の低下を瞬断と誤判定することを防止することができる。
【００６８】
タイミング（１９）で遅延回路１２５の出力（ｄ）がＬｏｗからＨｉｇｈに変化すると、遅延時間（Ｔ４）後のタイミング（２０）で制御ロジック回路１５５の出力（ｉ）がＬｏｗからＨｉｇｈに変化する。そして制御ロジック回路１５５の出力（ｉ）がＬｏｗからＨｉｇｈになると、ＣＰＵ用レギュレータ１６０は電圧（ｋ）をＣＰＵ４００に電力供給用端子１７５を介して供給する。
【００６９】
タイミング（２０）で制御ロジック回路１５５の出力（ｉ）がＬｏｗからＨｉｇｈになってから遅延時間（Ｔ５）経過後のタイミング（２１）で、制御ロジック回路１５５は、出力（ｌ）をＬｏｗからＨｉｇｈにする。出力（ｌ）のＬｏｗからＨｉｇｈへの変化により、ＣＰＵ４００のリセットが解除される。
【００７０】
このように本実施の形態によれば、システム電源ＩＣ１００には、電池２００と接続される電源接続用端子１０５とコンデンサ３００と接続される電源接続用端子１１０との間に、電池２００の電源電圧の検出電圧が所定の基準値以上でＯＮし基準値未満でＯＦＦするスイッチ１１５が設けられている。スイッチ１１５がＯＮしているときには、電池２００の電源電圧が各構成要素に供給されるとともに、コンデンサ３００に電荷が蓄えられる。スイッチ１１５がＯＦＦすると、コンデンサ３００に蓄えられた電荷がシステム電源ＩＣ１００の構成要素のうち瞬断判定に関わる構成要素に供給される。瞬断判定に関わる構成要素は、電源電圧検出回路１２０の検出電圧が基準値未満である期間および該期間に設定される瞬断判定基準期間の終了タイミングに基づいて瞬断か否かを判定する。こうして、電池２００の電源電圧が低下したときにも、瞬断の検出が可能となる電源供給装置としてのシステム電源ＩＣを実現することができる。また、電源供給装置自体が瞬断判定機能を持つことにより、ＣＰＵに依存しない瞬断判定システムを実現することができ、汎用的な使用が期待できる。従来ＣＰＵが実行していた瞬断の判定を電源供給装置が実行するので、ＣＰＵの処理負担を軽減することができる。
【００７１】
更に、電源電圧の低下によりＣＰＵ２００が停止した状態から復帰するタイミングには、システム電源ＩＣ１００で既になされた瞬断判定結果を利用することができるので、瞬断からの復帰がスムーズとなり、システム電源ＩＣ１００が搭載される電子機器５０を使うユーザの利便性を向上させることができる。
【００７２】
また、電池２００の電源電圧が低下したときにはスイッチ１１５がＯＦＦしコンデンサ３００に蓄えられた電荷が電源接続用端子１０５側へ流出することを防止できる。そのため、電源電圧が低下して回復するまでの間には、一部の瞬断判定に関わる構成要素のみに電力の供給がなされるので、システム電源ＩＣ１００は瞬断判定を低電力で実現できる構成となっている。
【００７３】
特に、本実施の形態のシステム電源ＩＣ１００の瞬断判定に関わる構成要素は、インバータ１３０、Ｄフリップフロップ１３５、Ｄフリップフロップ１４０、カウンタ回路１５０、および発振回路１７０といった電力消費の少ないものからなっており、コンデンサに蓄えられる程度の電荷で瞬断判定期間中に動作し続けることができる。そのため、システム電源ＩＣ１００を備える電子機器５０は、バックアップ用電池を搭載する必要がなく、その代わりに電池に比べて小さいコンデンサ３００を設ければよく、小型軽量化することができる。また、バックアップ用電池の交換も不要となる。
【００７４】
カウンタ回路１５０は、電池２００の電源電圧の検出電圧が基準値未満となりＤフリップフロップ１３５にトリガ信号が入力されるタイミングから瞬断判定基準期間（Ｔ０）経過後にＤフリップフロップ１３５にリセット信号を出力するため、Ｄフリップフロップ１３５の出力を入力とするＤフリップフロップ１４０の出力を、Ｄフリップフロップ１３５にトリガ信号が入力されるタイミングから瞬断判定基準期間（Ｔ０）が経過するタイミングと、電池２００の電源電圧の検出電圧が基準値以上となりＤフリップフロップ１４０にトリガ信号が入力されるタイミングとの到来する順序により、制御することができる。したがって、Ｔ０を瞬断判定基準期間として利用し、Ｄフリップフロップ１４０の出力を瞬断判定結果として利用することができる。
【００７５】
また、システム電源ＩＣ１００の遅延回路１２５は、電源電圧検出回路１２０の検出電圧が基準値以上に増加したときの比較の結果（出力（ｃ））を遅延時間（Ｔ３）遅延するため、電源電圧が基準値未満から基準値以上に増加しても所定期間（Ｔ３）の間に再び基準値未満となる場合には、出力（ｄ）が変化しない。そのため、電池装着時に起こるチャタリングが生じても遅延回路１２５の出力は変化せず、瞬断判定手段としてのＤフリップフロップ１３５、Ｄフリップフロップ１４０およびカウンタ回路１５０は作動しないので、チャタリングによる電源電圧の低下を瞬断と誤判定することを防止することができる。
【００７６】
また、システム電源ＩＣ１００の制御ロジック回路１５５が遅延回路１２５の出力がＬｏｗからＨｉｇｈに変わってからＴ４後に出力（ｉ）をＨｉｇｈにし、これをトリガとしてＤフリップフロップ１４５が瞬断判定結果であるＤフリップフロップ１４０の出力（ｈ）をラッチする。こうすることにより、インターフェイス回路１６５が割り込み信号（ｍ）を発生するタイミングとＣＰＵ４００が作動を開始するタイミングとの時間差を短くすることができ、インターフェイス回路１６５が割り込み信号（ｍ）を無駄に発生している時間を短くすることができる。
【００７７】
ただし、インターフェイス回路１６５は、割り込み信号（ｍ）を発生せずに、出力（ｊ）を保持しておくだけでもよい。この場合には、ＣＰＵ４００は、電源電圧が回復して供給が再開された後にインターフェイス回路１６５に保持している情報を読み取ることとなる。さらに、この場合には、上述のＴ４によるタイミング調整の必要がなくなるので、Ｄフリップフロップ１４５を設けなくてもよく、インターフェイス回路１６５はＤフリップフロップ１４０の出力（ｈ）を保持することになる。
【００７８】
なお、図１には図示していないが、（ａ）が付された構成要素と（ｂ）が付された構成要素との間にレベル変換回路を設けてもよい。
【００７９】
また、本実施の形態では、コンデンサ３００を電源供給装置としてのシステム電源ＩＣ１００の外付けとしたが、これに限定されるものではなく、コンデンサ３００を電源供給装置の内部に設けてもよい。この場合には、電源供給装置に、コンデンサ３００に接続するための端子を設ける必要がなくなる。
【産業上の利用可能性】
【００８０】
本発明の電源供給装置は、バックアップ用電池がなくとも作動する瞬断判定機能を備え、この電源供給装置を備える電子機器の小型軽量化を実現するものとして有用である。
【図面の簡単な説明】
【００８１】
【図１】本発明の実施の形態に係る電子機器の構成を示すブロック図
【図２】図１のシステム電源ＩＣの各部における、電源電圧の低下が瞬断であると判定される場合と、電源電圧の低下が瞬断以外であると判定される場合の状態変動を示す図
【図３】図１のシステム電源ＩＣの各部における、電池装着時にチャタリングが発生した場合の状態変動を示す図
【図４】従来の携帯端末装置の構成を示すブロック図
【図５】図４の携帯端末装置の各部の動作波形を示す図
【符号の説明】
【００８２】
５０  電子機器
１００  システム電源ＩＣ
１０５,１１０  電源接続用端子
１１５  スイッチ
１２０  電源電圧検出回路
１２５  遅延回路
１３０  インバータ
１３５,１４０,１４５  Ｄフリップフロップ
１５０  カウンタ回路
１５５  制御ロジック回路
１６０  ＣＰＵ用レギュレータ
１６５  インターフェイス回路
１７０  発振回路
１７５  ＣＰＵ電源供給用端子
１８０,１８５  制御信号用端子
２００  電池
３００  コンデンサ
４００  ＣＰＵ
【図１】
2007288860.tif 000003
【図２】
2007288860.tif 000004
【図３】
2007288860.tif 000005
【図４】
2007288860.tif 000006
【図５】
2007288860.tif 000007